(57)【要約】【課題】柱上変圧器の取付けまたは取外し作業時に、吊り上げられた変圧器を鉛直および水平方向に簡易かつ安定的に誘導できる変圧器誘導具を提供する。【解決手段】柱上変圧器の取付けまたは取外し作業時に、吊り上げられた該変圧器を誘導する誘導具であって、棒状のシャフト部１と、シャフト部１の先端部に、開閉可能に設けられた一対のアーム部２と、シャフト部１の反対側の部位に設けられた操作部３と、操作部３の操作によって作動して、アーム部２を開閉させる作動機構４とを備える。【選択図】図１
2008053592.tif 000002
【特許請求の範囲】
【請求項１】
柱上変圧器の取付けまたは取外し作業時に、吊り上げられた該変圧器を誘導する変圧器誘導具であって、
棒状のシャフト部と、該シャフト部の先端部に、開閉可能に設けられた一対のアーム部と、前記シャフト部の反対側の部位に設けられた操作部と、該操作部の操作によって作動して、前記アーム部を開閉させる作動機構とを備えることを特徴とする変圧器誘導具。
【請求項２】
請求項１記載の変圧器誘導具において、
前記アーム部は各々、複数の円弧状アーム片と、隣接する該アーム片同士を接続する弾性体とを有することを特徴とする変圧器誘導具。
【請求項３】
請求項２記載の変圧器誘導具において、
前記操作部は、ハンドルと、該ハンドルの操作により回動駆動されるギア部とを有し、
前記作動機構は、前記ギア部の回転力を直線運動に変換して前記アーム片に伝達するワイヤを有することを特徴とする変圧器誘導具。
【請求項４】
請求項３記載の変圧器誘導具において、
前記ギア部は、一方向にのみ回転可能なラチェットギアであることを特徴とする変圧器誘導具。
【請求項５】
請求項１乃至４のいずれか１項記載の変圧器誘導具において、
前記アーム部が着脱自在な包装体で覆われていることを特徴とする変圧器誘導具。
【発明の詳細な説明】
【技術分野】
【０００１】
本発明は、柱上変圧器の取付けまたは取替え等の取外し作業時に、吊り上げられた該変圧器を誘導する変圧器誘導具に関する。
【背景技術】
【０００２】
従来、高所配電設備工事は、旋回および伸縮自在なブームの先端に作業台が取付けられた高所作業車を用いて行われている（例えば特許文献１参照）。具体的には、作業台に工事を行う作業者が搭乗し、高所に移動してケーブルの張替え作業等を行う。
【０００３】
特に、柱上変圧器の取付けまたは取外し作業においては、変圧器の質量が大きいことから作業の安全性を確保するため、変圧器が設置される架台に予め、吊り用支柱と、該吊り用支柱に対して交差する吊り用アームとを備える変圧器吊り工具を装着し、吊り用アームに取付けたシメラー（張線機）で変圧器を吊り上げるものが知られている（特許文献２参照）。
【特許文献１】特開平１０−２１５５１０号公報
【特許文献２】特開２００５−２０３６０７号公報
【発明の開示】
【発明が解決しようとする課題】
【０００４】
しかしながら、このような変圧器吊り工具では、変圧器の取付けまたは取外し作業の度に、吊り工具を架台に装着する必要が生じ、手間がかかる。
【０００５】
また、このような変圧器吊り工具は、吊り上げられた変圧器の鉛直方向の移動には適しているものの、ケーブル等との接触回避のため吊り上げた変圧器を水平方向に移動させる場合には、別途、ワイヤやロープを変圧器に巻きつけて誘導する必要が生じる。
【０００６】
そこで、本発明は、柱上変圧器の取付けまたは取外し作業時に、吊り上げられた変圧器を鉛直および水平方向に簡易かつ安定的に誘導できる変圧器誘導具を提供することを目的とする。
【課題を解決するための手段】
【０００７】
本発明は、柱上変圧器の取付けまたは取外し作業時に、吊り上げられた該変圧器を誘導する変圧器誘導具であって、棒状のシャフト部と、該シャフト部の先端部に、開閉可能に設けられた一対のアーム部と、前記シャフト部の反対側の部位に設けられた操作部と、該操作部の操作によって作動して、前記アーム部を開閉させる作動機構とを備えることを特徴とする。
【０００８】
本発明の変圧器誘導具は、前記操作部を操作して一対のアーム部を閉じることにより、変圧器をアーム部で挟持することができる。これにより、柱上変圧器の取付けまたは取外し作業を行う作業者は、吊り上げた変圧器にシャフト部を向けて、その先端のアーム部で変圧器を挟持し誘導することで、変圧器の鉛直および水平方向への誘導を簡易かつ安定的に行うことができる。
【０００９】
本発明の変圧器誘導具において、前記アーム部は各々、複数の円弧状アーム片と、隣接する該アーム片同士を接続する弾性体とを有することが好ましい。これにより、隣接するアーム片の間には弾性体の弾性力が作用するため、前記操作部を操作しないときにはアーム部が自動的に開くか、または閉じるようにすることができる。その結果、前記作業者は、アーム部を閉じるか、または開くための操作のみを行なえばよく、前記作業の効率を向上させることができる。
【００１０】
また、本発明の変圧器誘導具において、前記操作部は、ハンドルと、該ハンドルの操作により回動駆動されるギア部とを有し、前記作動機構は、前記ギア部の回転力を直線運動に変換して前記アーム片に伝達するワイヤを有する構造にすることができる。これにより、前記作業者がハンドルを操作してギア部を回転させると、該ギア部の回動力がワイヤを介して前記アーム片に伝達され、前記アーム部を開閉動作させることができる。
【００１１】
さらに、前記ギア部は、一方向にのみ回転可能なラチェットギアであるとよい。これにより、例えば、回動運動が規制される方向が前記アーム部を開く方向に対応する場合には、前記作業者は、前記アーム部が閉じる方向に操作部を操作することで、アームを任意の位置で閉じて固定することができる。
【００１２】
また、本発明の変圧器誘導具において、前記アーム部は着脱自在な包装体で覆われることが好ましい。これにより、変圧器が破損して内部の絶縁油が漏れ出しているような場合であっても、前記作業者は、当該誘導具を絶縁油で汚すことなく前記作業を行うことができる。
【発明を実施するための最良の形態】
【００１３】
図１に示すように、実施形態の変圧器誘導具は、中空棒状のシャフト部１と、シャフト部１の先端部に設けられた一対のアーム部２と、シャフト部１の反対側の部位に設けられた操作部３と、操作部３の操作によって作動し、アーム部２を開閉させる作動機構４（図２参照）を備える。また、アーム部２には、一対の透明なナイロン製のカバー５が着脱自在に取付けられる。
【００１４】
シャフト部１は、グラスファイバ（ＦＲＰ）を材料とする３つシャフト１１〜１３がテーパー部１４を介して伸縮自在に連結されるようになっている。複数シャフト１１〜１３が連結されるテーパー部１４の外周には、この外周に嵌着されるストッパー１５が設けられている。また、操作部３側のシャフト１１には、固定ハンドル１７が取付けられており、シャフト１１の外周には滑り止めの加工が施されている。
【００１５】
アーム部２は、ステンレス製の板体を円弧状に歪ませた４つのアーム片２１〜２４を有する。各アーム片２１〜２４の内周側には、後述するワイヤ４１，４２が通るワイヤ挿通部２５を有する。
【００１６】
また、図３に示すように、隣接するアーム片２１，２３および２２，２４は、弾性体の一例のねじりバネ２６の両端を各々ねじ止めすることによって接続されている。その接続部には、隣接するアーム片２１，２３および２２，２４同士の接続および作動を補助するためにヒンジ２７が取付けられている。
【００１７】
操作部３は、図２に示すように、シャフト２１の外周に突出して設けられたハンドル３１と、ハンドル３１の軸部３２に連結されたギア部３３とを備える。ギア部３３は、後述する２本のワイヤ４１，４２が巻き付くリール部３４と、ラチェットギア３５とを備え、ラチェットギア３５には、ラチェットギア３５の回転を一方向に規制する止爪３６が設けられている。
【００１８】
ハンドル３１は、ギア部３３と同軸の軸部３２に着脱自在となっており、当該変圧器誘導具を使用する作業者は、ハンドル操作を行うときにはハンドル３２を軸部３２に装着し、ハンドル操作を行わないときにはハンドル３２を取外すことができる。
【００１９】
リール部３４には、後述する２本のワイヤ４１，４２が絡み合うことを防止するため、仕切り部３７が設けられている。
【００２０】
止爪３６は、図４に示すように、止爪３６の先端がラチェットギア３５に係合するように軸止めされており、ラチェットギア３５は一方向（図４では左回り）に回転可能であって、他方向（図４では右回り）への回転が止爪３６によって規制されるようになっている。
【００２１】
また、止爪３６には、ラチェットギア３５との係合を解除するための摘み部３８がシャフト１１のスライド溝１６を貫通するように取付けられている。止爪３６は、摘み部３８をスライド溝１６内でスライドさせることによって軸回転し、ラチェットギア３５との係合が解放される。
【００２２】
作動機構４は、図２に示すように、一端側がリール部３４に接続され、他端側がアーム片２３，２４に接続されたワイヤ４１，４２を備える。ワイヤ４１，４２は、シャフト部１の先端に設けられたワイヤ受部４３でその方向が変更され、アーム片２１〜２４の内周側に設けられたワイヤ挿通部２５を通して滑らかに動くことができる。
【００２３】
次に、本実施形態の変圧器誘導具の作動を説明する。
【００２４】
柱上変圧器の取付け又は取外し作業は、電柱の腕木などに取付けた滑車やシメラー（張線機）で変圧器を吊り上げることにより行われる。変圧器は、滑車等に接続されたワイヤロープの一端に括り付けられ、他端をウインチで巻き上げることによって吊り上げられる。
【００２５】
変圧器が吊り上げられると、変圧器の取付け又は取外し作業を行う作業員は、変圧器までの距離に応じて、シャフト１１〜１３をテーパー部１４を介して伸縮させ、ストッパー１５でそれぞれの位置に固定する。そして、変圧器誘導具のシャフト部１の先端を変圧器側に進め、一対のアーム部２の間に変圧器が位置するようにする。
【００２６】
ここで、作業員は、ハンドル３１をアーム片２３，２４が閉じる方向に操作することにより、アーム片２３，２４に接続されたワイヤ４１，４２がリール部３４に巻き上げられる。これにより、ワイヤ受部４３からワイヤ挿通部２５を通してアーム片２３，２４に接続されるワイヤ４１，４２の距離が短くなる。それに応じてアーム片２１〜２４が円形になるように、アーム片２３，２４がねじりバネ２６およびヒンジ２７を軸として内方に移動する。
【００２７】
このとき、リール部３４は、ラチェットギア３５によりアーム部２が開く方向への回動が規制されるため、アーム片２３，２４が内方に移動して変圧器を挟持した状態を維持することができる。また、この状態でハンドル３１を軸部３２から取り外すことで、該状態を維持しつつ、ハンドル３１が邪魔にならずに変圧器の誘導作業を行うことができる。
【００２８】
これにより、吊り上げられた変圧器の鉛直方向の移動に関しては、アーム部２により変圧器を挟持して抑え付けることで、その揺れを防止して安定させることができる。また、水平方向の移動に関しては、変圧器を挟持して水平方向に移動させることで、ケーブル等との接触を回避することやトラックでの積み下ろしや積み込みを容易に行うことができる。
【００２９】
そして、変圧器の誘導終了後は、止爪３６の摘み部３８をスライドさせて、止爪３６とラチェットギア３５との係合を解放する。その結果、ねじりバネ２６の弾性力によりアーム部２が自動的に開き、変圧器と変圧器誘導具とを分離することができる。
【００３０】
また、上述の変圧器の誘導の際に、アーム部２は着脱自在なカバー５で覆われているため、変圧器の破損により内部の絶縁油が漏れ出しているような場合であっても、前記作業者は、当該誘導具を絶縁油で汚すことがなく、カバー５のみを廃棄すればよい。
【００３１】
次に、他の実施形態について説明する。
【００３２】
他の実施形態に係る変圧器誘導具は、前述のシャフト部１内を通るワイヤに代えて、図５に示すように、ハンドル３１の支軸と同軸の第１ベベルギア５１と、このベベルギア５１と噛合ってハンドル３１の回転運動をその支軸に対し垂直な軸まわりの回転運動に変換する第２ベベルギア５２と、この第２ベベルギア５２と同軸で、シャフト部１内に設けられた軸体５３とを備える。軸体５３は、その先端部にアーム片２３，２４に沿ったワイヤ４１，４２が巻付くリール部５４が設けられており、このリール部５４には、ワイヤ４１，４２が絡み合うのを防止する仕切り５５が形成されている。
【００３３】
この実施形態では、ハンドル３１を回転操作すると、その回転運動によりベベルギア５１，５２を介して、軸体５３が回転運動し、軸体５３の先端のリール部５４にワイヤ４１，４２が巻付いて、アーム片２３，２４が閉じる方向に移動する。これにより、吊り上げられた変圧器をアーム部２で挟持することができ、前述の実施形態と同様の効果を得ることができる。
【００３４】
尚、本実施形態において、図示の例では隣接するアーム片が、弾性体であるねじりバネによって接続されているが、これに限定されるものではなく、ゴム製のゴム紐等によって接続されてもよい。
【００３５】
本実施形態において、作動機構はワイヤによって構成されているが、これに限らず、ギア部の回転を軸体の運動に変換し、該軸体に接続されたリンク機構によってアーム部を開閉させるようにしてもよい。
【図面の簡単な説明】
【００３６】
【図１】本実施形態の変圧器誘導具の斜視図。
【図２】本実施形態の変圧器誘導具の内部構造を示す説明図。
【図３】アーム部の構造を示す説明図。
【図４】操作部の構造を示す図２のＩＶ−ＩＶ線断面図。
【図５】他の実施形態の変圧器誘導具の内部構造を示す説明図。
【符号の説明】
【００３７】
１…シャフト部、２…アーム部、３…操作部、４…作動機構、５…カバー、１１〜１３…シャフト、２１〜２４…アーム片、２６…ねじりバネ、３１…ハンドル、３４…リール部、３５…ラッチェトギア、３６…止爪、４１，４２…ワイヤ。
【図１】
2008053592.tif 000003
【図２】
2008053592.tif 000004
【図３】
2008053592.tif 000005
【図４】
2008053592.tif 000006
【図５】
2008053592.tif 000007